(57)【要約】  フィルター構造体（１）は、可撓性を有し、平面視において略矩形形状のシート状よりなるフィルター本体（１０）と、フィルター本体（１０）の一方面において、粘着剤が塗布されて形成された粘着部（２０）とを備える。又、粘着部（２０）は、略矩形形状の一対の長辺の一方側の端縁部（１１）に沿って延びる第１の帯状部（２１）と、略矩形形状の一対の長辺の他方側の端縁部（１２）に沿って延びる第２の帯状部（２２）とを有し、フィルター本体（１０）の通気量は、１５００〜５０００ｃｃ／ｃｍ２／ｓｅｃに設定されている。
2018043522.tif 000002
【特許請求の範囲】
【請求項１】
一部を切り取ったものを又は全部を対象物に貼着して、通過する気体をろ過するためのフィルター構造体（１）であって、
可撓性を有し、平面視において略矩形形状のシート状よりなるフィルター本体（１０）と、
前記フィルター本体の一方面において、粘着剤が塗布されて形成された粘着部（２０）とを備え、
前記粘着部は、
前記略矩形形状の一対の長辺の一方側の端縁部に沿って延びる第１の帯状部（２１）と、
前記略矩形形状の一対の長辺の他方側の端縁部に沿って延びる第２の帯状部（２２）とを有し、
前記フィルター本体の通気量は、１５００〜５０００ｃｃ／ｃｍ２／ｓｅｃに設定されている、フィルター構造体。
【請求項２】
更に、前記粘着部は、
前記略矩形形状の一対の短辺の中央同士を結ぶ仮想線の前記第１の帯状部側に前記仮想線に沿って延びるように形成される第３の帯状部（２３）と、
前記第２の帯状部側に前記仮想線に沿って延びるように形成される第４の帯状部（２４）とを備える、請求項１記載のフィルター構造体。
【請求項３】
更に、前記粘着部は、
前記第３の帯状部に対して、前記第１の帯状部側に離間して形成される第５の帯状部（２５）と、
前記第４の帯状部に対して、前記第２の帯状部側に離間して形成される第６の帯状部（２６）とを備える、請求項２記載のフィルター構造体。
【請求項４】
更に、前記粘着部は、前記第１の帯状部及び前記第２の帯状部に対して交差し、前記第１の帯状部から前記第２の帯状部にかけて延びる帯が、長辺方向に所定の間隔で形成された交差帯状部（３１、３５、３６、８３、８４、８５、８６、９３、９４）を備える、請求項１から請求項３のいずれかに記載のフィルター構造体。
【請求項５】
前記交差帯状部は、前記第１の帯状部及び前記第２の帯状部に対して、略４５°及び略１３５°の少なくとも一方の角度で交差する、請求項４記載のフィルター構造体。
【請求項６】
前記交差帯状部は、前記第１の帯状部及び前記第２の帯状部に対して略直交する、請求項４記載のフィルター構造体。
【請求項７】
更に、前記粘着部は、
前記交差帯状部の少なくとも一部に重なり合うようにして設けられ、フィルター構造体の取り換え時期を示す標識状に粘着剤が塗布された標識部（３２）と、
前記標識部の周囲に設けられ、粘着剤が塗布されていない輪郭部（３３）とを含む、請求項４から請求項６のいずれかに記載のフィルター構造体。
【請求項８】
更に、前記粘着部は、
フィルター構造体の取り換え時期を示す標識状に粘着剤が塗布された標識部（９５）を含み、
前記標識部は、前記交差帯状部並びに前記第１の帯状部及び前記第２の帯状部により囲まれた領域部分（Ｂ８１、Ｂ８２）に設けられると共に前記交差帯状部並びに前記第１の帯状部及び前記第２の帯状部と重なり合わないように設けられている、請求項６記載のフィルター構造体。
【請求項９】
前記標識部は、複数の標識要素から構成され、
前記標識要素は、一辺が６〜１５ｍｍ且つ他辺が６〜１５ｍｍである正方形又は長方形で形成される範囲内に収まる大きさであり、
前記領域部分には前記複数の標識要素が島状に散在するように形成されている、請求項８記載のフィルター構造体。
【請求項１０】
前記複数の標識要素は、最も近接する標識要素同士が、上下左右のいずれかに互いにずらした状態で設けられている、請求項９記載のフィルター構造体。
【請求項１１】
前記フィルター本体は、抗菌加工及び抗ウイルス加工の少なくとも一方が施されている、請求項１から請求項１０のいずれかに記載のフィルター構造体。
【請求項１２】
前記フィルター本体のサイズは、長辺が７５〜８５ｃｍに設定され、短辺が３３〜４３ｃｍに設定されている、請求項１から請求項１１のいずれかに記載のフィルター構造体。
【請求項１３】
請求項８から請求項１０及び請求項１２のいずれかに記載のフィルター構造体において、
前記フィルター本体の長辺を、空気清浄機の背面吸気口（６２）の縦の高さに合わせてカットしてなる、空気清浄機用フィルター構造体。
【請求項１４】
請求項８から請求項１０及び請求項１２のいずれかに記載のフィルター構造体において、
前記フィルター本体の長辺を、空気清浄機の背面吸気口の横の幅に合わせてカットしてなる、空気清浄機用フィルター構造体。
【請求項１５】
空気清浄機の通気構造（７０）であって、
空気清浄機の背面に設けられ、縦３３〜５５ｃｍ、幅１９〜３８ｃｍのサイズに設定されている背面吸気口と、
前記背面吸気口に位置合わせをして取り付けられた、請求項８から請求項１０、請求項１３及び請求項１４のいずれかに記載の空気清浄機用フィルター構造体とを備える、空気清浄機の通気構造。
【請求項１６】
空気清浄機の通気構造（７０）であって、
空気清浄機の背面に設けられ、縦３３〜５５ｃｍ、幅１９〜３８ｃｍのサイズに設定されており、略直角四角形形状の開口が縦横に各々少なくとも複数個整列された状態で配置された前記背面吸気口と、
請求項５及び請求項８から請求項１０のいずれかに記載のフィルター構造体の前記フィルター本体の長辺を、前記背面吸気口に位置合わせをして取り付けられた空気清浄機用フィルター構造体とを備える、空気清浄機の通気構造。
【発明の詳細な説明】
【技術分野】
【０００１】
この発明はフィルター構造体、空気清浄機用フィルター構造体及び空気清浄機の通気構造に関し、特に、対象物に貼着して、通過する気体をろ過するためのフィルター構造体、空気清浄機用フィルター構造体及びこれを取り付けた空気清浄機の通気構造に関するものである。
【背景技術】
【０００２】
従来、クーラーやエアーコンディショナー、除湿機又は空気清浄機等の空気吸入面を有する機械にカバーを取り付けて、空気吸入面をはじめとする機械外部へのよごれの付着を防止することが提案されている。【０００３】
例えば、日本国特開平１１−８３０６９号公報では、カバー本体にひも又はひもの先端に面ファスナーを設けたものや、カバー本体にゴムを設けたものを、機械に対して脱着自在に装着する技術が開示されている。又、カバー本体に折り込み部分を設けて、様々なメーカーや機種のサイズの空気吸入面に対応することが開示されている。
【先行技術文献】
【特許文献】
【０００４】
【特許文献１】日本国特開平１１−８３０６９号公報
【０００５】
しかしながら、一般的に、エアーコンディショナーの空気吸入面のサイズのほうが、床置式の除湿機、空気清浄機の空気吸入面のサイズよりも大きいため、上述の従来技術では、除湿機、空気清浄機にカバーを装着する際には、相当程度折り込み部分を設けなければならない可能性があり、折り込み部分で空気吸入の抵抗が低下するおそれがある。【０００６】
又、特許文献１では、エアーコンディショナーと、空気清浄機との間で、カバーに求められる通気特性等は特に検討されていない。【０００７】
この発明は、上記のような課題を解決するためになされたもので、少なくともエアーコンディショナーと、空気清浄機との両方の機器に取り付け可能で、且つ、これら両方の機器にとって好ましい通気特性を備えたフィルター構造体、空気清浄機用フィルター構造体及び空気清浄機の通気構造を提供することを目的とする。
【発明の開示】
【０００８】
上記の目的を達成するために、この発明の第１の局面におけるフィルター構造体は、一部を切り取ったものを又は全部を対象物に貼着して、通過する気体をろ過するためのフィルター構造体であって、可撓性を有し、平面視において略矩形形状のシート状よりなるフィルター本体と、フィルター本体の一方面において、粘着剤が塗布されて形成された粘着部とを備え、粘着部は、略矩形形状の一対の長辺の一方側の端縁部に沿って延びる第１の帯状部と、略矩形形状の一対の長辺の他方側の端縁部に沿って延びる第２の帯状部とを有し、フィルター本体の通気量は、１５００〜５０００ｃｃ／ｃｍ２／ｓｅｃに設定されているものである。
【０００９】
このように構成すると、少なくともエアーコンディショナーと、空気清浄機との両方の機器に手軽に取り付け可能で、且つ、長辺周縁では塵埃の侵入をより確実に抑制できる一方で、これら両方の機器の吸気を過度には妨げない。
【００１０】
この発明の第２の局面におけるフィルター構造体は、第１の局面における発明の構成において、更に、粘着部は、略矩形形状の一対の短辺の中央同士を結ぶ仮想線の第１の帯状部側に仮想線に沿って延びるように形成される第３の帯状部と、第２の帯状部側に仮想線に沿って延びるように形成される第４の帯状部とを備えるものである。
【００１１】
このように構成すると、中央付近において粘着力を生じさせることができる。
【００１２】
この発明の第３の局面におけるフィルター構造体は、第２の局面における発明の構成において、更に、粘着部は、第３の帯状部に対して、第１の帯状部側に離間して形成される第５の帯状部と、第４の帯状部に対して、第２の帯状部側に離間して形成される第６の帯状部とを備えるものである。
【００１３】
このように構成すると、中央付近において粘着力が生じる範囲を広げることができる。
【００１４】
この発明の第４の局面におけるフィルター構造体は、第１の局面から第３の局面のいずれかにおける発明の構成において、更に、粘着部は、第１の帯状部及び第２の帯状部に対して交差し、第１の帯状部から第２の帯状部にかけて延びる帯が、長辺方向に所定の間隔で形成された交差帯状部を備えるものである。
【００１５】
このように構成すると、フィルター構造体の全域に亘って交差帯状部が対象部に粘着する。
【００１６】
この発明の第５の局面におけるフィルター構造体は、第４の局面における発明の構成において、交差帯状部は、第１の帯状部及び第２の帯状部に対して、略４５°及び略１３５°の少なくとも一方の角度で交差するものである。
【００１７】
このように構成すると、フィルター構造体を対象物に取り付けたとき、短辺端縁周辺からの空気の入り込みをより抑制することができる。
【００１８】
この発明の第６の局面におけるフィルター構造体は、第４の局面における発明の構成において、交差帯状部は、第１の帯状部及び第２の帯状部に対して略直交するものである。
【００１９】
このように構成すると、交差帯状部の格子部分で位置合わせをしてカットすることで、四方を粘着部で取り囲んだフィルター構造体を構成することができる。
【００２０】
この発明の第７の局面におけるフィルター構造体は、第４の局面から第６の局面のいずれかにおける発明の構成において、更に、粘着部は、交差帯状部の少なくとも一部に重なり合うようにして設けられ、フィルター構造体の取り換え時期を示す標識状に粘着剤が塗布された標識部と、標識部の周囲に設けられ、粘着剤が塗布されていない輪郭部とを含むものである。
【００２１】
このように構成すると、使用に伴い、標識部の周囲の粘着剤が塗布されていない輪郭部に埃が付着する。
【００２２】
この発明の第８の局面におけるフィルター構造体は、第６の局面における発明の構成において、更に、粘着部は、フィルター構造体の取り換え時期を示す標識状に粘着剤が塗布された標識部を含み、標識部は、交差帯状部並びに第１の帯状部及び第２の帯状部により囲まれた領域部分に設けられると共に交差帯状部並びに第１の帯状部及び第２の帯状部と重なり合わないように設けられているものである。
【００２３】
このように構成すると、使用が進むと、標識部の周囲に埃が付着する。
【００２４】
この発明の第９の局面におけるフィルター構造体は、第８の局面における発明の構成において、標識部は、複数の標識要素から構成され、標識要素は、一辺が６〜１５ｍｍ且つ他辺が６〜１５ｍｍである正方形又は長方形で形成される範囲内に収まる大きさであり、領域部分には複数の標識要素が島状に散在するように形成されているものである。
【００２５】
このように構成すると、標識要素が空気清浄機の背面吸気口の格子の間を防ぐことを抑制でき、且つ使用が進んだときの標識要素の視認性が高まる。
【００２６】
この発明の第１０の局面におけるフィルター構造体は、第９の局面における発明の構成において、複数の標識要素は、最も近接する標識要素同士が、上下左右のいずれかに互いにずらした状態で設けられているものである。
【００２７】
このように構成すると、より確実に標識部の標識要素の周囲に埃が付着する。
【００２８】
この発明の第１１の局面におけるフィルター構造体は、第１の局面から第１０の局面のいずれかにおける発明の構成において、フィルター本体は、抗菌加工及び抗ウイルス加工の少なくとも一方が施されているものである。
【００２９】
このように構成すると、菌又はウイルスの発生又は増殖を抑制することができる。
【００３０】
この発明の第１２の局面におけるフィルター構造体は、第１の局面から第１１の局面のいずれかにおける発明の構成において、フィルター本体のサイズは、長辺が７５〜８５ｃｍに設定され、短辺が３３〜４３ｃｍに設定されているものである。
【００３１】
このように構成すると、よく用いられるエアーコンディショナーの吸気口のサイズによく適合する。
【００３２】
この発明の第１３の局面における空気清浄機用フィルター構造体は、第８の局面から第１０の局面及び第１２の局面のいずれかにおけるフィルター構造体において、フィルター本体の長辺を、空気清浄機の背面吸気口の縦の高さに合わせてカットしてなる空気清浄機用フィルター構造体である。
【００３３】
このように構成すると、フィルター本体の長辺のカット後の長さを高さとし、フィルター本体の短辺の長さを幅とした空気清浄機用フィルター構造体が得られる。
【００３４】
この発明の第１４の局面における空気清浄機用フィルター構造体は、第８の局面から第１０の局面及び第１２の局面のいずれかにおけるフィルター構造体において、フィルター本体の長辺を、空気清浄機の背面吸気口の横の幅に合わせてカットしてなる空気清浄機用フィルター構造体である。
【００３５】
このように構成すると、フィルター本体の短辺の長さを高さとし、フィルター本体の長辺のカット後の長さを幅とした空気清浄機用フィルター構造体が得られる。
【００３６】
この発明の第１５の局面における空気清浄機の通気構造は、空気清浄機の通気構造であって、空気清浄機の背面に設けられ、縦３３〜５５ｃｍ、幅１９〜３８ｃｍのサイズに設定されている背面吸気口と、背面吸気口に位置合わせをして取り付けられた、第８の局面から第１０の局面、第１３の局面及び第１４の局面のいずれかにおける空気清浄機用フィルター構造体とを備えるものである。
【００３７】
このように構成すると、フィルター本体の元の長辺に相当する部分の周縁では塵埃の侵入をより確実に抑制できる一方で、これら両方の機器の吸気を過度には妨げない通気構造が得られる。
【００３８】
この発明の第１６の局面における空気清浄機の通気構造は、空気清浄機の通気構造であって、空気清浄機の背面に設けられ、縦３３〜５５ｃｍ、幅１９〜３８ｃｍのサイズに設定されており、略直角四角形形状の開口が縦横に各々少なくとも複数個整列された状態で配置された背面吸気口と、第５の局面及び第８の局面から第１０の局面のいずれかにおけるフィルター構造体のフィルター本体の長辺を、背面吸気口に位置合わせをして取り付けられた空気清浄機用フィルター構造体とを備えるものである。
【００３９】
このように構成すると、空気清浄機用フィルター構造体が、背面吸気口の開口を縦方向又は横方向に連続して塞いでしまうことを回避することができる。
【００４０】
以上説明したように、この発明の第１の局面におけるフィルター構造体は、少なくともエアーコンディショナーと、空気清浄機との両方の機器に手軽に取り付け可能で、且つ、長辺周縁では塵埃の侵入をより確実に抑制できる一方で、これら両方の機器の吸気を過度には妨げないので、少なくともこれら両方の機器の運転上支障となることを抑制できる。
【００４１】
この発明の第２の局面におけるフィルター構造体は、第１の局面における発明の効果に加えて、中央付近において粘着力を生じさせることができるため、中央付近でフィルター本体を折り曲げて使用するような場合において、対象物への固定がより確実なものとなる。
【００４２】
この発明の第３の局面におけるフィルター構造体は、第２の局面における発明の効果に加えて、中央付近において粘着力が生じる範囲を広げることができるため、中央付近でフィルター本体を折り曲げて使用するような場合において、対象物への固定が更に確実なものとなる。
【００４３】
この発明の第４の局面におけるフィルター構造体は、第１の局面から第３の局面のいずれかにおける発明の効果に加えて、フィルター構造体の全域に亘って交差帯状部が対象物に粘着するので、フィルター構造体の全域に亘って粘着力をより補強することができる。
【００４４】
この発明の第５の局面におけるフィルター構造体は、第４の局面における発明の効果に加えて、短辺端縁周辺からの空気の入り込みをより抑制することができるので、埃が対象物内に侵入することを抑制することができる。
【００４５】
この発明の第６の局面におけるフィルター構造体は、第４の局面における発明の効果に加えて、交差帯状部の格子部分で位置合わせをしてカットすることで、四方を粘着部で取り囲んだフィルター構造体を構成することができるので、短辺端縁周辺からの空気の入り込みを略遮蔽することができる。
【００４６】
この発明の第７の局面におけるフィルター構造体は、第４の局面から第６の局面のいずれかにおける発明の効果に加えて、使用が進むと標識部が埃によって浮き上がり、フィルター構造体の取り換え時期を示すことができる。
【００４７】
この発明の第８の局面におけるフィルター構造体は、第６の局面における発明の効果に加えて、使用が進むと、標識部の周囲に埃が付着するため、標識部が埃によって浮き上がりフィルター構造体の取り換え時期を示すことができる。
【００４８】
この発明の第９の局面におけるフィルター構造体は、第８の局面における発明の効果に加えて、標識要素が空気清浄機の背面吸気口の格子の間を防ぐことを抑制でき、且つ使用が進んだときの標識要素の視認性が高まるので、標識要素が、より確実にフィルター構造体の取り換え時期を示す標識として機能する。
【００４９】
この発明の第１０の局面におけるフィルター構造体は、第９の局面における発明の効果に加えて、より確実に標識部の標識要素の周囲に埃が付着するので、標識部の標識要素がうまく浮き上がらなくなってしまうことを避けることができる。
【００５０】
この発明の第１１の局面におけるフィルター構造体は、第１の局面から第１０の局面のいずれかにおける発明の効果に加えて、菌又はウイルスの発生又は増殖を抑制することができるので、衛生面で有利となる。
【００５１】
この発明の第１２の局面におけるフィルター構造体は、第１の局面から第１１の局面のいずれかにおける発明の効果に加えて、よく用いられるエアーコンディショナーの吸気口のサイズによく適合するので、メーカー・機種が異なるエアーコンディショナーの間で汎用性の高いフィルター構造体が得られる。
【００５２】
この発明の第１３の局面における空気清浄機用フィルター構造体は、第８の局面から第１０の局面及び第１２の局面のいずれかにおける発明の効果に加えて、フィルター本体の長辺のカット後の長さを高さとし、フィルター本体の短辺の長さを幅とした空気清浄機用フィルター構造体が得られるので、第１の帯状部及び第２の帯状部により水平方向からの空気の入り込みを防ぐことができるフィルター構造体となる。
【００５３】
この発明の第１４の局面における空気清浄機用フィルター構造体は、第８の局面から第１０の局面及び第１２の局面のいずれかにおける発明の効果に加えて、フィルター本体の短辺の長さを高さとし、フィルター本体の長辺のカット後の長さを幅とした空気清浄機用フィルター構造体が得られるので、第１の帯状部及び第２の帯状部により上下方向からの空気の入り込みを防ぐことができるフィルター構造体となる。
【００５４】
この発明の第１５の局面における空気清浄機の通気構造は、第８の局面から第１０の局面、第１３の局面及び第１４の局面のいずれかにおける発明の効果に加えて、フィルター本体の元の長辺に相当する部分の周縁では塵埃の侵入をより確実に抑制できる一方で、空気清浄機の吸気を過度には妨げない通気構造が得られるので、空気清浄機の運転上支障となることを抑制できる。
【００５５】
この発明の第１６の局面における空気清浄機の通気構造は、第５の局面及び第８の局面から第１０の局面のいずれかにおける発明の効果に加えて、空気清浄機用フィルター構造体が、背面吸気口の開口を縦方向又は横方向に連続して塞いでしまうことを回避することができるので、背面吸気口において目詰まりが起こって、空気清浄機の運転上支障が生じることを抑制することができる。
【図面の簡単な説明】
【００５６】
【図１】この発明の第１の実施の形態によるフィルター構造体の外観形状を示した平面図である。
【図２】図１に示したＩＩ−ＩＩラインの端面図である。
【図３】図２に示したＸ１部分の拡大図である。
【図４】フィルター構造体をエアーコンディショナーに取り付ける取付工程を示す図である。
【図５】図４に示した取付工程に続く工程を示す図である。
【図６】フィルター構造体の取付工程完了後のエアーコンディショナーの外観を示す模式図であり、（ａ）は、エアーコンディショナーの平面図を示し、（ｂ）は、エアーコンディショナーの正面図を示している。
【図７】空気清浄機の外観を示す図であり、（ａ）は、空気清浄機の正面側の外観形状を示しており、（ｂ）は、空気清浄機の背面側の外観形状を示している。
【図８】フィルター構造体を空気清浄機に取り付ける取付工程を示す図である。
【図９】図８に示した取付工程に続く工程を示す図である。
【図１０】図８及び図９に示した取付工程により得られる空気清浄機の通気構造をより詳細に示す模式図である。
【図１１】この発明の第２の実施の形態による空気清浄機の通気構造の外観形状を示す平面図であって、図１０に対応するものである。
【図１２】この発明の第３の実施の形態によるフィルター構造体の外観形状を示した平面図であり、図１に対応するものである。
【図１３】この発明の第４の実施の形態によるフィルター構造体の外観形状を示した平面図であり、図１に対応するものである。
【図１４】この発明の第５の実施の形態によるフィルター構造体の外観形状を示した平面図であり、図１に対応するものである。
【図１５】図１４に示したフィルター構造体の底面図である。
【図１６】この発明の第６の実施の形態によるフィルター構造体の外観形状を示した平面図であり、図１４に対応するものである。
【発明を実施するための形態】
【００５７】
図１は、この発明の第１の実施の形態によるフィルター構造体の外観形状を示した平面図であり、図２は、図１に示したＩＩ−ＩＩラインの端面図であり、図３は、図２に示したＸ１部分の拡大図である。
【００５８】
これらの図を参照して、フィルター構造体１は、一部を切り取ったものを又は全部をエアーコンディショナー及び空気清浄機等の対象物に貼着して、通過する気体をろ過するためのものであり、フィルター本体１０と、粘着部２０と、離型シート４０とを備える。
【００５９】
フィルター本体１０は、可撓性を有する不織布等により構成されており、平面視において略矩形形状のシート状に形成される。フィルター本体１０のサイズは、略矩形形状の長辺の長さＷ１１が略８０ｃｍに設定され、短辺の長さＷ１２が略３８ｃｍに設定されている。又、フィルター本体１０には、光触媒の無機系薬剤が添加される抗ウイルス加工がなされており、ウイルスの発生を抑制することができ衛生面で有利である。又、フィルター本体１０の通気量は、１５００〜５０００ｃｃ／ｃｍ２／ｓｅｃに設定されている。
【００６０】
粘着部２０は、フィルター本体１０の一方面において、粘着剤（ウレタン系粘着剤等）が塗布されて形成される。
【００６１】
粘着部２０は、より具体的には、第１〜第６の帯状部２１〜２６と、交差帯状部３１と、標識部３２と、輪郭部３３とを備える。
【００６２】
第１の帯状部２１は、フィルター本体１０の略矩形形状の一対の長辺の一方側の端縁部１１に沿って延びるように形成されている。又、第１の帯状部２１の幅Ｗ２１は、１．０ｃｍに設定されている。
【００６３】
第２の帯状部２２は、フィルター本体１０の略矩形形状の一対の長辺の他方側の端縁部１２に沿って延びるように形成されている。又、第２の帯状部２２の幅は、第１の帯状部２１と同幅に設定されている。
【００６４】
第３の帯状部２３は、フィルター本体１０の略矩形形状の一対の短辺の中央同士を結ぶ仮想線Ｌの第１の帯状部２１側において仮想線Ｌに沿って延びるように形成されている。又、第３の帯状部２３の幅Ｗ２２は、２．０ｃｍに設定されている。
【００６５】
第４の帯状部２４は、仮想線Ｌの第２の帯状部２２側において仮想線Ｌに沿って延びるように形成されている。又、第４の帯状部２４の幅は、第３の帯状部２３と同幅に設定されている。
【００６６】
第５の帯状部２５は、第３の帯状部２３に対して、第１の帯状部２１側に離間して幅Ｗ２３＝１．０ｃｍにて形成される。
【００６７】
第６の帯状部２６は、第４の帯状部２４に対して、第２の帯状部２２側に離間して第５の帯状部２５と同幅で形成される。
【００６８】
交差帯状部３１では、第２の帯状部２２に対して、θ＝４５°の角度で交差し、第１の帯状部２１から第２の帯状部２２にかけて延びる帯が、長辺方向に所定の間隔Ｗ３１＝６．０ｃｍで形成されている。又、交差帯状部３１の幅Ｗ３２は、０．８ｃｍに設定されている。
【００６９】
標識部３２は、交差帯状部３１の少なくとも一部に重なり合うようにして設けられ、フィルター構造体１の取り換え時期を示す標識状、すなわち「とりかえてネ」の反転文字状に粘着剤が塗布されたものである。
【００７０】
輪郭部３３は、標識部３２の周囲に設けられ、粘着剤が塗布されていない部分である。
【００７１】
尚、粘着部２０の面積のフィルター本体１０の面積に対する割合は、約４０％である。
【００７２】
離型シート４０は、ポリエチレンテレフタレート（ＰＥＴ）製等の透明な合成樹脂からなるフィルムよりなる。離型シート４０には、仮想線Ｌ上に延びる分離線４１が設けられている。
【００７３】
以上のようにフィルター構造体１を構成する効果については後述する。
【００７４】
次に、フィルター構造体１をエアーコンディショナーに取り付ける場合について説明する。
【００７５】
図４は、フィルター構造体をエアーコンディショナーに取り付ける取付工程を示す図であり、図５は、図４に示した取付工程に続く工程を示す図であり、図６は、フィルター構造体の取付工程完了後のエアーコンディショナーの外観を示す模式図であり、（ａ）は、エアーコンディショナーの平面図を示し、（ｂ）は、エアーコンディショナーの正面図を示している。
【００７６】
まず、図４及び図５を参照して、Ｓ１１に示すように、フィルター構造体１を、仮想線Ｌ（図１参照）に沿って、山折りに折り曲げた状態で、離型シート４０の分離線４１に沿って、離型シート４０の一方側４０ａを剥がして、粘着部２０を露出させる。
【００７７】
次に、Ｓ１２に示すように、露出させた粘着部２０を、エアーコンディショナー５０の前面吸気口５１に対向させて、矢印方向にフィルター構造体１を前面吸気口５１に貼り付ける。
【００７８】
次に、Ｓ１３に示すように、更に、離型シート４０の他方側４０ｂを剥がして、上面吸気口５２を覆うようにフィルター構造体１を取り付けると、Ｓ１４に示すように取付完了状態となる。
【００７９】
次に、図６の（ａ）及び（ｂ）を参照して、取付完了状態では、フィルター構造体１を、エアーコンディショナーの前面吸気口及び上面吸気口を覆うように取り付けることができる。
【００８０】
フィルター構造体１のフィルター本体１０は、図１を用いて説明した通り、略矩形形状の長辺の長さＷ１１が略８０ｃｍに設定され、短辺の長さＷ１２が略３８ｃｍに設定されているため、よく用いられる家庭用のエアーコンディショナーの吸気口のサイズによく適合する。よって、メーカー・機種が異なるエアーコンディショナーの間で汎用性の高いフィルター構造体１が得られる。
【００８１】
又、第３帯状部２３及び第４帯状部２４により、中央付近において粘着力を生じさせることができるため、中央付近でフィルター本体を折り曲げて使用するような場合において、対象物への固定がより確実なものとなる。
【００８２】
更に、第５帯状部２５及び第６帯状部２６により、中央付近において粘着力が生じる範囲を広げることができるため、中央付近でフィルター本体を折り曲げて使用するような場合において、対象物への固定が更に確実なものとなる。
【００８３】
又、このようにフィルター構造体１をエアーコンディショナーに取り付けた状態で、エアーコンディショナーを使用するにつれて、標識部３２の周囲の粘着剤が塗布されていない部分、すなわち粘着部２０が形成されていない部分に埃が付着する。そうすると、標識部３２の「とりかえてネ」という文字が浮かび上がり、フィルター構造体１の取り換え時期を使用者に示すことができる。
【００８４】
次に、フィルター構造体１を空気清浄機に取り付ける場合について説明する。
【００８５】
図７は、空気清浄機の外観を示す図であり、（ａ）は、空気清浄機の正面側の外観形状を示しており、（ｂ）は、空気清浄機の背面側の外観形状を示しており、図８は、フィルター構造体を空気清浄機に取り付ける取付工程を示す図であり、図９は、図８に示した取付工程に続く工程を示す図である。
【００８６】
まず、図７の（ａ）及び（ｂ）に示すように、空気清浄機６０は、縦Ｈ６１＝６４ｃｍ、幅Ｗ６１＝３８ｃｍに設定されている背面６１と、背面６１に設けられ、縦Ｈ６２＝４５ｃｍ、幅Ｗ６２＝３８ｃｍ（＝Ｗ６２）のサイズに設定されている背面吸気口６２とを備える。背面吸気口６２は、略直角四角形形状の開口が縦横に整列された状態で配置されてなる構成である。
【００８７】
次に、図８及び図９を参照して、Ｓ２１に示すように、フィルター本体１０の長辺を、Ｗ１５＝４５ｃｍのサイズでカットして、カット後のフィルター本体１５を準備する。
【００８８】
次に、Ｓ２２に示すように、カット後のフィルター本体１５において、離型シート４０を剥がして、粘着部２０を露出させる。
【００８９】
次に、Ｓ２３に示すように、露出させた粘着部２０を背面吸気口６２に対向させて、矢印方向に、カット後のフィルター本体１５を背面吸気口６２に取り付けると、Ｓ２４に示すように取り付けが完了し空気清浄機の通気構造７０が完成する。
【００９０】
図１０は、図８及び図９に示した取付工程により得られる空気清浄機の通気構造をより詳細に示す模式図である。
【００９１】
同図を参照して、上述したように、フィルター本体１０の長辺を、ラインＣにおいて空気清浄機の背面吸気口６２の横の幅に合わせてカットし、元のフィルター本体１０の長辺方向（すなわち、第１の帯状部及び第２の帯状部が伸びる方向）を背面吸気口６２の上下方向に合わせて、カット後のフィルター構造体１を、背面吸気口６２に取り付けて、図示したような空気清浄機の通気構造７０を構成することができる。
【００９２】
このように構成すると、フィルター本体の長辺のカット後の長さを高さとし、フィルター本体の短辺の長さを幅とした空気清浄機用フィルター構造体が得られる。よって、第１の帯状部及び第２の帯状部により水平方向からの空気の入り込みを防ぐことができるフィルター構造体となる。
【００９３】
更に言えば、フィルター構造体の全域に亘って交差帯状部３１が空気清浄機に粘着するので、フィルター構造体の全域に亘って粘着力をより補強することができる。
【００９４】
又、フィルター本体１０の元の長辺に相当する部分の周縁１１ａ及び１１ｂ（すなわち第１の帯状部及び第２の帯状部に相当する部分）では塵埃の侵入をより確実に抑制できる一方で、空気清浄機の機器の吸気を過度には妨げない通気構造が得られるので、空気清浄機の運転上支障となることを抑制できる。
【００９５】
又、交差帯状部３１は、縦横方向に対して傾斜した斜め方向に形成されているので、背面吸気口６２の開口を粘着部により縦方向又は横方向に連続して塞いでしまうことを回避することができる。このため、背面吸気口６２において目詰まりが起こって、空気清浄機の運転上支障が生じることを抑制することができる。
【００９６】
図１１は、この発明の第２の実施の形態による空気清浄機の通気構造の外観形状を示す平面図であって、図１０に対応するものである。
【００９７】
尚、説明に当たっては、基本的には第１の実施の形態によるものと同一であるため、その相違点を中心に説明する。
【００９８】
同図を参照して、矢印Ｚにて背面吸気口６２の上方向を示し、矢印Ｙにて背面吸気口６２の水平方向を示している。この第２の実施の形態にあっては、空気清浄機の通気構造７０は、元のフィルター本体１０の長辺方向（すなわち、第１の帯状部及び第２の帯状部が伸びる方向）を背面吸気口６２の上下方向に合わせて構成される。
【００９９】
すなわち、空気清浄機の通気構造７０に用いられている空気清浄機用フィルター構造体は、フィルター本体の長辺を、空気清浄機の背面吸気口の縦の高さに合わせてカットしてなる構成である。
【０１００】
よって、第１の帯状部及び第２の帯状部により水平方向からの空気の入り込みを防ぐことができる空気清浄機用フィルター構造体となる。
【０１０１】
図１２は、この発明の第３の実施の形態によるフィルター構造体の外観形状を示した平面図であり、図１に対応するものである。
【０１０２】
尚、説明に当たっては、基本的には第１の実施の形態によるものと同一であるため、その相違点を中心に説明する。
【０１０３】
同図を参照して、この第３の実施の形態にあっては、第１の実施の形態における交差帯状部３１を、交差帯状部３５に置き換えている。
【０１０４】
交差帯状部３５は、第２の帯状部２２（第１の帯状部２１）に対して、略４５°及び略１３５°のそれぞれの角度で交差する構成である。言い換えれば、交差帯状部３５は、Ｘ字状の格子形状を有する。このため、第１の実施の形態のものと比べて、より粘着力を補強することができる。又、このような構成によれば、短辺端縁周辺からの空気の入り込みをより抑制することができるので、埃が対象物内に侵入することを抑制することができる。
【０１０５】
図１３は、この発明の第４の実施の形態によるフィルター構造体の外観形状を示した平面図であり、図１に対応するものである。
【０１０６】
尚、説明に当たっては、基本的には第１の実施の形態によるものと同一であるため、その相違点を中心に説明する。
【０１０７】
同図を参照して、この第４の実施の形態にあっては、第１の実施の形態における交差帯状部３１を、交差帯状部３６に置き換えている。
【０１０８】
交差帯状部３６は、第２の帯状部２２（第１の帯状部２１）に対して、略直交し、第１の帯状部２１から第２の帯状部２２にかけて延びる帯が、長辺方向に所定の間隔で形成されてなる構成である。言い換えれば、交差帯状部３６は、Ｉ字状の堅格子形状を有する。このような構成によれば、交差帯状部３６の格子部分で位置合わせをしてカットすることで、四方を粘着部２０で取り囲んだフィルター構造体を構成することができるので、短辺端縁周辺からの空気の入り込みを略遮蔽することができる。
【０１０９】
上記の各実施の形態では特定の寸法を有するフィルター構造体について説明したが、これに限られない。例えば、フィルター本体のサイズは、長辺が７５〜８５ｃｍに設定され、短辺が３３〜４３ｃｍに設定されていることが好ましい。フィルター本体のサイズを、この範囲に設定することで、よく用いられるエアーコンディショナーの吸気口のサイズによく適合するので、メーカー・機種が異なるエアーコンディショナーの間で汎用性の高いフィルター構造体が得られる。
【０１１０】
又、上記の各実施の形態では説明しなかったが、第２〜第６の帯状部及び交差帯状部、標識部及び輪郭部の一部又は全部を省略してもよい。
【０１１１】
更に、上記の各実施の形態では、フィルター本体に抗ウイルス加工が施されていることについて説明したが、これに限られない。フィルター本体には、抗菌加工及び抗ウイルス加工の少なくとも一方が施されていればよい。又、これらの加工は、上述したような光触媒等の無機系薬剤によるものでも、有機系薬剤によるものでも、或いはこれらの組み合わせでもよく、特に制限はない。又、例えば、光触媒を構成する酸化チタン粒子に銅を担持したものを用いてもよい。これにより菌又はウイルスの発生又は増殖を抑制することができる。
【０１１２】
更に、上記の各実施の形態では特に説明しなかったが、空気清浄機の背面吸気口のサイズは、幅（Ｗ６２）２４、２５、２６、３０、３３ｃｍ、縦（Ｈ６２）３８、４０ｃｍの組み合わせのものが多く、概ね縦３３〜４５ｃｍ、幅１９〜３８ｃｍのサイズに設定されているといえる。フィルター構造体を空気清浄機の背面吸気口に取り付ける際には、これらのサイズに合わせてフィルター本体をカットすればよい。尚、背面吸気口に取り付ける際には、背面吸気口を完全に覆うサイズであれば背面吸気口と同じサイズにカットしてもよいし背面吸気口よりも大きめのサイズにカットしてもよいが、第１の帯状部と第２の帯状部が背面吸気口の一部にかかることによる空気清浄機の吸気への影響を極力減らすためには、背面吸気口よりも大きめのサイズにカットする方が好ましい。
【０１１３】
更に、上記の各実施の形態では、対象物に応じてカットすることで、エアーコンディショナーと、空気清浄機との両方の機器に手軽に取り付け可能なようにフィルター本体のサイズを長辺の長さＷ１１が略８０ｃｍに設定され、短辺の長さＷ１２が略３８ｃｍに設定されていたが、これに限られない。フィルター本体のサイズは、特定の空気清浄機の背面吸気口のサイズに合わせて設定されていてもよい。すなわち、カットしなくても空気清浄機の吸気口のサイズにのみ合致するようにフィルター本体のそれぞれの長さを適宜設定してもよい。
【０１１４】
更に、上記の各実施の形態では特に説明しなかったが、空気清浄機の背面及び背面吸気口は、粘着剤による接着の観点から言えば、ポリスチレン（ＰＳ）、耐衝撃性ポリスチレン（ＨＩＰＳ）、アクリロニトリル・ブタジエン・スチレン共重合体（ＡＢＳ）などの合成樹脂からなる部材により構成されていることが好ましい。
【０１１５】
更に、上記の第１の実施の形態では、粘着部がウレタン系粘着剤からなることを説明したがこれに限られない。粘着部を、アクリル系粘着剤又はシリコーン系粘着剤等により形成してもよい。
【０１１６】
更に、上記の第１の実施の形態では、粘着部の面積のフィルター本体の面積に対する割合は、約４０％である旨を説明したが、これに限られない。上記割合は、６０％以下であることが好ましく、５５％以下であることがより好ましい。
【０１１７】
図１４は、この発明の第５の実施の形態によるフィルター構造体の外観形状を示した平面図であり、図１に対応するものであり、図１５は、図１４に示したフィルター構造体の底面図である。
【０１１８】
尚、説明に当たっては、第１の実施の形態によるものとの共通点及び相違点を中心に説明する。
【０１１９】
これらの図を参照して、この第５の実施の形態にあっては、フィルター構造体８０は、一部を切り取ったものを又は全部を空気清浄機等の対象物に貼着して、通過する気体をろ過するためのものであり、フィルター本体１０と、粘着部２０とを備え、粘着部２０が、第１の帯状部２１及び第２の帯状部２２を備える点で第１の実施の形態におけるフィルター構造体１と共通する。
【０１２０】
以下、フィルター構造体８０に特有の構成について説明する。粘着部２０は、更に、第１の帯状部２１及び第２の帯状部２２に対して平行に延びる第３の帯状部８１及び第４の帯状部８２と、第１の帯状部２１、第２の帯状部２２、第３の帯状部８１及び第４の帯状部８２に対して略直交するように延びる交差帯状部８３、８４、８５及び８６とを備える。
【０１２１】
そして、フィルター構造体８０のサイズは以下の通り設定されている。
【０１２２】
交差帯状部８３、８４、８５及び８６の幅（Ｈ９０）：１０．０ｍｍ
フィルター本体１０の長辺の長さ（Ｈ８０）      ：５６０．０ｍｍ
交差帯状部８３の外方端から交差帯状部８６の外方端までの長さ（Ｈ８１）：５５０．０ｍｍ
交差帯状部８４の外方端から交差帯状部８６の外方端までの長さ（Ｈ８２）：４４０．０ｍｍ
交差帯状部８５の外方端から交差帯状部８６の外方端までの長さ（Ｈ８３）：３８０．０ｍｍ
交差帯状部８３の内方端から交差帯状部８６の内方端までの長さ（Ｈ８４）：５３０．０ｍｍ
交差帯状部８４の内方端から交差帯状部８６の内方端までの長さ（Ｈ８５）：４２０．０ｍｍ
交差帯状部８５の内方端から交差帯状部８６の内方端までの長さ（Ｈ８６）：３６０．０ｍｍ
第１の帯状部２１、第２の帯状部２２、第３の帯状部８１及び第４の帯状部８２の幅（Ｗ９０）：１０．０ｍｍ
フィルター本体１０の短辺の長さ（Ｗ８０）：３８０．０ｍｍ
第１の帯状部２１の外方端から第２の帯状部２２の外方端までの長さ（Ｗ８１）：３７０．０ｍｍ
第１の帯状部２１の外方端から第３の帯状部８１の外方端までの長さ（Ｗ８２）：３５０．０ｍｍ
第１の帯状部２１の外方端から第４の帯状部８２の外方端までの長さ（Ｗ８３）：２７０．０ｍｍ
第１の帯状部２１の内方端から第２の帯状部２２の内方端までの長さ（Ｗ８４）：３５０．０ｍｍ
第１の帯状部２１の内方端から第３の帯状部８１の内方端までの長さ（Ｗ８５）：３３０．０ｍｍ
第１の帯状部２１の内方端から第４の帯状部８２の内方端までの長さ（Ｗ８６）：２５０．０ｍｍ
このように設定する効果について説明すると以下の通りである。
【０１２３】
まず、空気清浄機の背面吸気口のサイズは大別すると、２５０ｍｍ×３６０ｍｍ、３３０ｍｍ×４２０ｍｍ、３５０ｍｍ×５３０ｍｍの３種類のものがよく見受けられる。
【０１２４】
これら３種類のサイズの背面吸気口の外周部分で接着剤による接着を行おうとすると、粘着剤の幅を１０．０ｍｍとすると、粘着部２０の外郭のサイズは、２７０ｍｍ×３８０ｍｍ、３５０ｍｍ×４４０ｍｍ、３７０ｍｍ×５５０ｍｍと設定すればよく、上述のＨ８１〜Ｈ８６、Ｗ８１〜Ｗ８６の各サイズはこれに適合するような設定となっている。
【０１２５】
尚、フィルター構造体８０の製造上、原反を切り出して製造するが、粘着剤が塗布された箇所では裁断しないので、フィルター本体１０全体のサイズは、耳となる部分を両サイド５ｍｍずつ設けた３８０ｍｍ（Ｗ８０）×５６０ｍｍ（Ｈ８０）となる。
【０１２６】
空気清浄機の背面吸気口への取り付けに際しては、フィルター構造体８０を、上述したような空気清浄機の背面吸気口の縦又は横のサイズに応じて、帯状部（２１、２２、８１、８２）及び交差帯状部（８３〜８６）に沿って切断すれば、空気清浄機の背面吸気口の周囲を取り囲むような粘着パターンが得られる。
【０１２７】
図１６は、この発明の第６の実施の形態によるフィルター構造体の外観形状を示した平面図であり、図１４に対応するものである。
【０１２８】
尚、説明に当たっては、基本的には第５の実施の形態によるものと同一であるため、その相違点を中心に説明する。
【０１２９】
同図を参照して、この第６の実施の形態にあっては、第５の実施の形態における粘着部２０において、更に、第１の帯状部２１等に対して平行に延びる第５の帯状部９１及び第６の帯状部９２と、第１の帯状部２１等に対して略直交するように延びる交差帯状部９３、９４と、帯状部（２１、９１、９２、８２、８１、２２）及び交差帯状部（８３、８４、８５、９４、９３、８６）により囲まれる各領域部分内に設けられる標識部９５とを備える。
【０１３０】
第５の帯状部９１及び第６の帯状部９２は、それぞれ、フィルター本体１０の略矩形形状の一対の短辺の中央同士を結ぶ中心線に関し、第３の帯状部８１及び第４の帯状部８２と線対称になるように配置される。
【０１３１】
交差帯状部９３、９４は、それぞれ、フィルター本体１０の略矩形形状の一対の長辺の中央同士を結ぶ中心線に関し、交差帯状部８４、８５と線対称になるように配置される。
【０１３２】
標識部９５は、複数のハート形状により構成され、使用が進むと標識部９５のハート形状の周囲に埃が付着することで標識部９５のハート形状が浮き上がり、フィルター構造体８０の取り換え時期を示すことができる。このハート形状のサイズは、特に制限はないが、１３ｍｍ×１３ｍｍに設定することが好ましい。
【０１３３】
このようにハート形状のサイズを設定することの効果について以下に説明する。
【０１３４】
まず、空気清浄機の背面吸気口は略直角四角形形状の開口が縦横に複数個整列された状態で配置された格子状に形成されていることが多く、その格子状の格子サイズは、１５ｍｍ×１５ｍｍに設定されていることがある。
【０１３５】
このような１５ｍｍ×１５ｍｍの格子サイズの場合、格子間の隙間を塞いでしまわないように標識部９５のハート形状のサイズは、１５ｍｍ×１５ｍｍ以下に設定することが好ましいといえる。一方、使用が進み、ハート形状が浮き上がった際の視認性を考慮すると、ハート形状のサイズは、縦７ｍｍ×横６ｍｍ又は縦６ｍｍ×横７ｍｍよりも大きいことが好ましい。以上より、ハート形状のサイズは、縦７ｍｍ×横６ｍｍ又は縦６ｍｍ×横７ｍｍ、或いは、縦７ｍｍ×横７ｍｍ〜縦１５ｍｍ×横１５ｍｍに設定することが好ましいと言える。
【０１３６】
又、標識部９５に含まれる各ハート形状は、それぞれの領域部分内において千鳥状に帯状部（２１、９１、９２、８２、８１、２２）及び交差帯状部（８３、８４、８５、９４、９３、８６）とは重なり合わないように配置される。ここで、例えば、ある領域部分Ｂ８１内のハート形状は、斜め４５°のラインＬ８１上に配置され、別の領域部分Ｂ８２内のハート形状は、斜め４５°のラインＬ８２上に配置されるが、ラインＬ８１とライン８２とは平行関係にあり、延長しても交わらないようずらして配置される。
【０１３７】
ここで、フィルター構造体８０を空気清浄機の背面吸気口に取り付ける際、空気清浄機の背面吸気口は格子との位置関係によっては、使用が進んでもハート形状がうまく浮き上がらないことがある。上述の通り配置することで、ハート形状と空気清浄機の背面吸気口の格子との位置関係を領域部分ごとにずらすことができるため、すべてのハート形状がうまく浮き上がらなくなってしまうことを避けることができる。
【０１３８】
尚、上記の第５の実施の形態及び上記の第６の実施の形態では、特定の数の帯状部及び交差帯状部から構成されるフィルター構造体について説明したが、その数に制限はない。例えば、上記の第５の実施の形態において、上記の第６の実施の形態と同じような帯状部及び交差帯状部を設けることも可能である。
【０１３９】
又、上記の第６の実施の形態では、標識部は複数のハート形状により構成されていたがこれに限られない。標識部は、フィルター構造体の取り換え時期を示す標識状に粘着剤が塗布されたものであれば、他の模様、文字等の標識要素から構成されていてもよい。又、標識要素は、一辺が６〜１５ｍｍ且つ他辺が６〜１５ｍｍである正方形又は長方形で形成される範囲内に収まる大きさであってもよい。このように構成すると、標識要素が空気清浄機の背面吸気口の格子の間を防ぐことを抑制でき、且つ使用が進んだときの標識要素の視認性が高まる。これにより、標識要素が、より確実にフィルター構造体の取り換え時期を示す標識として機能する。
【０１４０】
更に、上記の第６の実施の形態では、複数のハート形状は、各領域部分において千鳥状に配置されていたが、これに限られない。複数のハート形状は、互いに離間して配置されるように構成することができる。すなわち、領域部分には複数のハート形状が島状に散在するように形成されていてもよい。
【０１４１】
更に、上記の第６の実施の形態では、複数のハート形状は、特定のライン上に配置されていたが、これに限られない。複数のハート形状は、最も近接するハート形状同士が、上下左右のいずれかに互いにずらした状態で設けられているような構成を採用することができる。より確実に標識部の標識要素の周囲に埃が付着するので、標識部の標識要素がうまく浮き上がらなくなってしまうことを避けることができる。
【０１４２】
更に、上記の第５の実施の形態及び上記の第６の実施の形態では特に説明しなかったが、フィルター構造体は、上記の第１の実施の形態で説明したように、エアーコンディショナー用のサイズに形成されたものを、所定のサイズでカットしてなるものであってもよい。
【実施例】
【０１４３】
以下、実施例に基づいて本発明について具体的に説明する。尚、本実施の形態は実施例に限定されるものではない。
Ｉ．試験に用いたフィルター構造体の構成
実施例及び比較例として、上述したような不織布からなるフィルター本体に、図１に示したようなパターンの粘着部が形成されたフィルター構造体で、目付及び通気量が異なるものを合わせて７種準備した。【０１４４】
実施例１〜実施例４は、ＪＩＳ  Ｌ  １０９６  Ａ法（フラジール法）に基づき計測されるフィルター本体の通気量が１５００〜５０００ｃｃ／ｃｍ２／ｓｅｃの範囲に収まるように構成されたものである。【０１４５】
比較例１〜３は、いずれも通気量が１５００ｃｃ／ｃｍ２／ｓｅｃ未満のものを準備した。【０１４６】
それぞれのサイズは以下の通りである。【０１４７】
・長辺の長さ  ：  約８０ｃｍ
・短辺の長さ  ：  約３８ｃｍ
ＩＩ．試験の詳細及び結果
以上の７種のフィルター構造体を用いて、それぞれ、以下に示すように、エアーコンディショナー及び空気清浄機の対象機種に対して、適宜寸法合わせしてカットしたものを取り付け、以下の試験を行った。
１．対象機種
・エアーコンディショナー
ダイキン工業株式会社社製  製品番号：Ｆ２２ＣＴＥＳ−Ｗ
・空気清浄機
シャープ株式会社社製  製品番号：ＫＩ−ＦＸ５５−Ｗ
外形寸法（ｍｍ）      ：幅３９２×奥行２６５×高さ６３５
背面吸込口寸法（ｍｍ）：幅２２７×高さ３４５
２．試験内容
（１）エアーコンディショナーについて
・異音感知試験
エアーコンディショナーにフィルター構造体を取り付けた後、運転を開始し、２０分程度の間、通常の運転音とは異なるような異音が発生していないか否かを官能試験により確認した。
（２）空気清浄機について
・異音感知試験
空気清浄機の背面吸気口に、この背面吸気口を完全に覆うように背面吸気口より大きめのサイズ（幅：約２６ｃｍ×縦：約３８ｃｍ）となるようにカットしたフィルター構造体を取り付けた後、運転を開始し、通常の運転音とは異なるような異音が発生していないか否かを官能試験により確認した。尚、フィルター構造体は、第２の実施の形態のようにフィルター本体の長辺を空気清浄機の背面吸気口の縦の高さに合わせてカットした。
・お掃除サイン確認試験
空気清浄機にフィルター構造体を取り付けた後、運転開始後、お掃除サインが点灯するか否かを確認した。対象機種では、フィルターに目詰まりが起こっているような場合、お掃除サインが点灯する。点灯すればフィルター構造体の通気性が低いと考えられる。【０１４８】
結果は以下の表１に示す通りであった。【０１４９】
【表１】
2018043522.tif 000003
表１を参照して、エアーコンディショナーの異常の列では、異音感知試験にて、エアーコンディショナーの異音が確認されなかったものは、○印とし、異音が確認されたものは×印としている。【０１５０】
又、空気清浄機の異常の列では、異音感知試験にて、異音が確認されなかったものは、○印とし、異音が確認されたものは×印としている。又、お掃除サイン確認試験にて、お掃除サインが点灯しなかったものは、○印とし、お掃除サインが点灯したものは、×印としている。【０１５１】
そして、試験結果において、エアーコンディショナーの異常及び空気清浄機のいずれにおいても異常が発生しなかったものを○と評価し、いずれかにおいて異常が発生したものは×と評価した。【０１５２】
これにより、通気量１５００ｃｃ／ｃｍ２／ｓｅｃ以上が設定されている実施例１〜４については、いずれも○の評価となった。【０１５３】
一方、通気量１３４２ｃｃ／ｃｍ２／ｓｅｃの比較例５については、エアーコンディショナーの異常は発生しなかったが、空気清浄機のお掃除サイン確認試験にてお掃除サインが点灯したため、×の評価となった。【０１５４】
又、通気量８６５ｃｃ／ｃｍ２／ｓｅｃの比較例６及び比較例７については、いずれもエアーコンディショナーの異常が発生し、且つ、空気清浄機のお掃除サイン確認試験でも異常が発生した。
【産業上の利用可能性】
【０１５５】
以上のように、本発明に係る空気清浄機用フィルター構造体及びこれを取り付けた空気清浄機の通気構造は、例えば、対象物に貼着して、通過する気体をろ過するのに適している。
【図１】
2018043522.tif 000004
【図２】
2018043522.tif 000005
【図３】
2018043522.tif 000006
【図４】
2018043522.tif 000007
【図５】
2018043522.tif 000008
【図６】
2018043522.tif 000009
【図７】
2018043522.tif 000010
【図８】
2018043522.tif 000011
【図９】
2018043522.tif 000012
【図１０】
2018043522.tif 000013
【図１１】
2018043522.tif 000014
【図１２】
2018043522.tif 000015
【図１３】
2018043522.tif 000016
【図１４】
2018043522.tif 000017
【図１５】
2018043522.tif 000018
【図１６】
2018043522.tif 000019
【国際調査報告】
2018043522.tif 000020
2018043522.tif 000021
2018043522.tif 000022
2018043522.tif 000023